(57)【要約】【課題】電子機器（ＰＣ等）の認証が可能なユーザ本人が不在の場合でも、電子機器（ＰＣ等）を使用できるようにし、かつ、セキュリティが高い、電子機器（ＰＣ等）を提供することが課題になっていた。【解決手段】実施形態の電子機器は、自機器の使用認証機能を備えた認証装置から出力された認証情報を用い、前記認証装置を認証する認証部を備える。  また、前記認証装置が認証されない場合に、自機器に予め設定されたモードに応じ、自機器の充電または放電、または、充電および放電を制御する制御部を備える。【選択図】  図１
2015011571.tif 000002
【特許請求の範囲】
【請求項１】
自機器の使用認証機能を備えた認証装置から出力された認証情報を用い、前記認証装置を認証する認証部と、
前記認証装置が認証されない場合に、自機器に予め設定されたモードに応じ、自機器の充電または放電、または、充電および放電を制御する制御部と、を備える電子機器。
【請求項２】
前記予め設定されたモードは、前記認証装置が認証されない場合の自機器の動作モードを含む請求項１に記載の電子機器。
【請求項３】
前記予め設定されたモードは、自機器への充電許可および放電禁止にする請求項１に記載の電子機器。
【請求項４】
前記予め設定されたモードは、自機器への充電および放電の両方を禁止にする請求項１に記載の電子機器。
【請求項５】
前記設定されたモードを動作させる第１スイッチを備える請求項１に記載の電子機器。
【請求項６】
前記設定されたモードを動作させる第１スイッチおよび第２スイッチを備える請求項１に記載の電子機器
【請求項７】
前記モード設定の情報を出力するモード設定情報出力部を備える請求項１に記載の電子機器。
【請求項８】
前記自機器に設定されたモードの情報を出力するモード情報出力部を備える請求項１に記載の電子機器。
【請求項９】
自機器の使用認証機能を備えた認証装置から出力された認証情報を用い、前記認証装置を認証するステップと、
前記認証装置が認証されない場合に、自機器に予め設定されたモードに応じ、自機器の充電または放電、または、充電および放電を制御するステップと、を備え、電子機器を制御する電子機器の制御方法。
【請求項１０】
自機器の使用認証機能を備えた認証装置から出力された認証情報を用い、前記認証装置を認証するステップと、
前記認証装置が認証されない場合に、自機器に予め設定されたモードに応じ、自機器の充電または放電、または、充電および放電を制御するステップと、を備え、電子機器を制御する電子機器の制御プログラム。
【発明の詳細な説明】
【技術分野】
【０００１】
本発明の実施形態は、  電子機器、電子機器の制御方法、電子機器の制御プログラムに関する。
【背景技術】
【０００２】
近年、パーソナルコンピュータ（ＰＣ）やタブレットコンピュータ（タブレット）、スマートフォン等の、電子機器が普及している。
【０００３】
そして、これらの電子機器においては、適宜、ユーザの貴重な情報が扱われる。
【０００４】
このため、例えば、パスワードを設定して、使用者を認証（パスワード認証）するようすることで、電子機器のセキュリティを向上させる、等の対策が行われていた。
【０００５】
そして、ノートＰＣ（パーソナルコンピュータ）の起動時において、例えば、パスワード認証を行った後に、ＯＳ（Ｏｐｅｒａｔｉｎｇ Ｓｙｓｔｅｍ）を起動することは、一般に行われている。
【０００６】
しかし、この場合、例えば、一旦、パスワードが流出すると、電子機器（ＰＣ等）内部の貴重なデータが、他人に盗まれてしまう恐れがあり、懸念されていた。
【０００７】
これに対して、例えば、指紋認証等を行うことにより、ユーザ本人のみが電子機器（ＰＣ等）を起動することができるようにするセキュリティ対策がある。
【０００８】
しかし、この場合は、例えば、ユーザ本人が不在の場合には、他の人（代理人）がこれに代わり、電子機器（ＰＣ等）を起動することができない。
【０００９】
また、もし、電子機器（ＰＣ等）を、代理人が起動させるようにしようとすると、パスワードを事前に知らせる必要が有る。この場合は、パスワードが流出する危険性が増加してしまう恐れがあり、もっとセキュリティを強化したいという要望があった。
【００１０】
しかし、例えば、Ｂ２Ｂ（Ｂｕｓｉｎｅｓｓ ｔｏ Ｂｕｓｉｎｅｓｓ）の利用シーンでは、ユーザの代理人が、電子機器（ＰＣ等）を起動し、使用できるようにしたいという、相反する要望があった。
【００１１】
このため、電子機器（ＰＣ等）の認証が可能なユーザ本人が不在の場合でも、電子機器（ＰＣ等）を使用できるようにし、かつ、セキュリティが高い、電子機器（ＰＣ等）を提供することが課題になっていた。
【先行技術文献】
【特許文献】
【００１２】
【特許文献１】特開２００１−２６８６５５号公報
【特許文献２】特開２００３−２８８３２８号公報
【特許文献３】特開２００９−１０５５９２号公報
【特許文献４】特開２００９−９３００８号公報
【発明の概要】
【発明が解決しようとする課題】
【００１３】
電子機器（ＰＣ等）の認証が可能なユーザ本人が不在の場合でも、電子機器（ＰＣ等）を使用できるようにし、かつ、セキュリティが高い、電子機器（ＰＣ等）を提供することが課題になっていた。
【課題を解決するための手段】
【００１４】
実施形態の電子機器は、自機器の使用認証機能を備えた認証装置から出力された認証情報を用い、前記認証装置を認証する認証部を備える。
【００１５】
また、前記認証装置が認証されない場合に、自機器に予め設定されたモードに応じ、自機器の充電または放電、または、充電および放電を制御する制御部を備える。
【図面の簡単な説明】
【００１６】
【図１】実施形態に係わる電子機器（ＰＣ）と認証装置（ウェアラブルデバイス）の外観を示す図。
【図２】実施形態に係わる電子機器（ＰＣ）と認証装置（ウェアラブルデバイス）の概略の構成を示すブロック図。
【図３】実施形態に係わる電子機器（ＰＣ）の構成を示すブロック図。
【図４】実施形態に係わる電子機器（ＰＣ）に設けられ、自機器の充電／放電を制御する制御部の構成の例を示す図。
【図５】実施形態に係わる電子機器（ＰＣ）に設定され、認証装置（ウェアラブルデバイス）が認証されない場合に、自機器の充電／放電を制御するモードが、電子機器（ＰＣ）の表示部に表示出力されるようすを示す図。
【図６】実施形態に係わる電子機器（ＰＣ）の動作を説明するフローチャート。
【発明を実施するための形態】
【００１７】
以下、図面を参照し、実施の形態を説明する。
【００１８】
図１は、実施形態に係わる電子機器（ＰＣ）と認証装置（ウェアラブルデバイス）の外観を示す図である。
【００１９】
この実施形態において、電子機器（ＰＣ）１０１は、自機器の使用認証機能を備えた認証装置（ウェアラブルデバイス：小型コンピュータ）１０３から出力された認証情報を用い、前記認証装置を認証する認証部（ＣＰＵ１０１、図３）を備えている。
【００２０】
また、前記認証装置１０３が認証されない場合に、自機器に予め設定されたモード（図５）に応じ、自機器の充電または放電、または、充電および放電を制御する制御部（図４）を備えている。
【００２１】
図１に示すように、電子機器（ＰＣ）１０１と認証装置（ウェアラブルデバイス：小型コンピュータ）１０３は、例えば、無線等で通信を行う。
【００２２】
ここでは、認証装置１０３は、電子機器（ＰＣ）１０１に使用認証を行うことが可能な機能を備えており、認証装置１０３から電子機器（ＰＣ）１０１に向けて、認証装置１０３の認証情報（例えば、ＩＤ等）が出力される。
【００２３】
そして、電子機器（ＰＣ）１０１は、自機器の使用認証機能を備えた認証装置（ウェアラブルデバイス：小型コンピュータ）１０３から出力された認証情報を用い、前記認証装置１０３を認証する
また、前記認証装置１０３が認証されない場合には、電子機器（ＰＣ）１０１は、自機器に予め設定されたモードに応じ、自機器の充電または放電、または、充電および放電を制御する。
【００２４】
また、図１に示すように、この実施形態では、電子機器（ＰＣ）１０１の表示部１７に、認証装置１０３が認証されない場合（非認証時）の充放電制御設定の表示６１が、表示されている。
【００２５】
この充放電制御設定は、電子機器（ＰＣ）１０１の、例えば、ＥＥＰＲＯＭ１１４（図３）等に、予め、設定されている、
図２は、実施形態に係わる電子機器（ＰＣ）と認証装置（ウェアラブルデバイス）の概略の構成を示すブロック図である。
【００２６】
図２に示すように、認証装置（ウェアラブルデバイス）１０３と電子機器（ＰＣ）１０１は、例えば、無線通信を用い、通信を行うことが可能である。
【００２７】
ここで、この実施形態に係る認証装置（ウェアラブルデバイス）は、例えば、ウェアラブルコンピュータ（ｗｅａｒａｂｌｅ ｃｏｍｐｕｔｅｒ）を用いることが可能である。
【００２８】
ウェアラブルコンピュータとは、身につけて持ち歩くことが出来るコンピュータのことである。
【００２９】
ウェアラブルコンピュータ（ウェアラブルデバイス）は、通常、小さく軽いデバイスで構成され、例えば、腕時計のように、普段身につけるガジェットを利用したものから、ヘッドマウントディスプレイ（ＨＭＤ）のように、身につけて出歩くことも不可能ではないガジェット、あるいは、衣類にコンピュータを統合したものまで、幅広く研究されている。
【００３０】
また、ここでは、認証装置（ウェアラブルデバイス）として、携帯電話機や携帯ゲーム機、ＩＣカード等を用いることも可能である。
【００３１】
そして、ここでは、電子機器（ＰＣ）１０１は、例えば、ＥＣ／無線デバイス２１、ロードスイッチＦＥＴ、およびシステム２３を備えている。
【００３２】
そして、この実施形態においては、認証装置（ウェアラブルデバイス）１０３と電子機器（ＰＣ）１０１は、例えば、このような無線通信を行うことで、認証装置（ウェアラブルデバイス）１０３が、電子機器（ＰＣ）１０１が認証可能な、所定の範囲（適宜設定可能、例えば、１ｍ等）内にある場合に、電子機器（ＰＣ）１０１内部の充放電ラインをＯＮ／ＯＦＦ制御する。
【００３３】
この充放電ラインの制御は、例えば、認証装置（ウェアラブルデバイス）１０３と通信を行ったＥＣ／無線デバイス２１から出力されたＧＰＩＯ信号（Ｇｅｎｅｒａｌ Ｐｕｒｐｏｓｅ Ｉｎｐｕｔ／Ｏｕｔｐｕｔ（汎用入出力））により、充放電ラインのロードスイッチＦＥＴ２２を制御することで実現可能である。
【００３４】
ここで、ＥＣはエンベデッドコントローラである。
【００３５】
また、ロードスイッチＦＥＴは、例えば、ＭＯＳＦＥＴで構成され、ＬＳＩやモータに電力を供給するラインのＯＮ／ＯＦＦコントロールを行うスイッチである。
【００３６】
ＭＯＳＦＥＴは、電圧制御デバイスであり、駆動回路がシンプルであること。一度ＯＮしてしまうと、基本的に、ゲートにチャージ電流を流さなくて良いこと。ＯＮ電圧が非常に低いこと等、ロードスイッチとして、優れた特性を持っていることが知られている。
【００３７】
また、ここでは、例えば、充放電ラインＯＦＦ時にもＥＣ／通信モジュールなどの電源が入っている必要が有る。このため、バッテリからの放電ラインを、通信に必要なデバイス用に設けることが望ましい。
【００３８】
図３は、実施形態に係わる電子機器（ＰＣ）の構成を示すブロック図である。
【００３９】
電子機器（ＰＣ）１０１は、図３に示すように、ＣＰＵ（central processing unit）１０１、システムメモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、カードスロット１１１Ｃ、無線ＬＡＮコントローラ１１２、エンベデッドコントローラ／キーボードコントローラ（ＥＣ／ＫＢＣ）１１３、ＥＥＰＲＯＭ（ｅｌｅｃｔｒｉｃａｌｌｙ ｅｒａｓａｂｌｅ ｐｒｏｇｒａｍｍａｂｌｅ ＲＯＭ）１１４等を備える。
【００４０】
ＣＰＵ１０１は、電子機器（ＰＣ）１０１内の各部の動作を制御するプロセッサである。
【００４１】
ＣＰＵ１０１は、ＢＩＯＳ−ＲＯＭ１０７に格納されたＢＩＯＳを実行する。ＢＩＯＳは、ハードウェア制御のためのプログラムである。ＣＰＵ１０１には、システムメモリ１０３をアクセス制御するメモリコントローラも内蔵されている。また、例えば、PCI EXPRESS規格のシリアルバスなどを介してＧＰＵ１０５との通信を実行する機能も有している。
【００４２】
ＧＰＵ１０５は、電子機器（ＰＣ）１０１のディスプレイモニタとして使用されるＬＣＤ１７を制御する表示コントローラである。
【００４３】
このＧＰＵ１０５によって生成される表示信号はＬＣＤ１７に送られる。また、ＧＰＵ１０５は、ＨＤＭＩ（登録商標）制御回路３およびＨＤＭＩ（登録商標）端子２を介して、外部ディスプレイ１にデジタル映像信号を送出することもできる。
【００４４】
ＨＤＭＩ（登録商標）端子２は、前述の外部ディスプレイ接続端子である。ＨＤＭＩ（登録商標）端子２は、非圧縮のデジタル映像信号とデジタルオーディオ信号とを１本のケーブルでテレビのような外部ディスプレイ１に送出することができる。ＨＤＭＩ（登録商標）制御回路３は、ＨＤＭＩ（登録商標）モニタと称される外部ディスプレイ１にデジタル映像信号を、ＨＤＭＩ（登録商標）端子２を介して送出するためのインタフェースである。
【００４５】
サウスブリッジ１０４は、ＰＣＩ（Peripheral Component Interconnect）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Ｉｎｔｅｇｒａｔｅｄ Ｄｒｉｖｅ Ｅｌｅｃｔｒｏｎｉｃｓ）コントローラを内蔵している。
【００４６】
さらに、サウスブリッジ１０４は、サウンドコントローラ１０６との通信を実行する機能も有している。
【００４７】
サウンドコントローラ１０６は音源デバイスであり、再生対象のオーディオデータをスピーカ１８Ａ，１８ＢまたはＨＤＭＩ（登録商標）制御回路３に出力する。ＬＡＮコントローラ１０８は、例えばIEEE 802.3規格の有線通信を実行する有線通信デバイスであり、一方、無線ＬＡＮコントローラ１１２は、例えばIEEE 802.11g規格の無線通信を実行する無線通信デバイスである。ＵＳＢコントローラ１１１Ａは、例えばUSB 2.0規格に対応した外部機器との通信を実行する。
【００４８】
例えば、ＵＳＢコントローラ１１１Ａは、デジタルカメラに格納されている画像データファイルを受信するために使用される。また、カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００４９】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて電子機器（ＰＣ）１０１を電源オン／電源オフする機能を有している。
【００５０】
この実施の形態における表示制御は、例えば、ＣＰＵ１０１がシステムメモリ１０３やＨＤＤ１０９等に記録されたプログラムを実行させることにより行われる。
【００５１】
なお、ここでは、電子機器の一例として、パーソナルコンピュータ（ＰＣ）を用いて説明を行うが、この実施形態においては、電子機器は、ＰＣに限られることはなく、タブレットやスマートフォン、あるいはテレビ等の電子機器においても実現可能である。
【００５２】
図４は、実施形態に係わる電子機器（ＰＣ）に設けられ、自機器の充電／放電を制御する制御部の構成の例を示す図である。
【００５３】
図４（ａ）は、図に示すように、スイッチ２２、システム２３、バッテリチャージャー４１、バッテリ４２が構成され、システム２３とバッテリ４２、バッテリチャージャー４１とバッテリ４２の間にスイッチ２２が設けられている。
【００５４】
ここで、スイッチ２２は、例えば、ＥＣ／無線デバイス２１により、そのゲートがコントロールされる。
【００５５】
このようにスイッチ（ＦＥＴスイッチ）２２を１つ設けることで、バッテリ４２からシステム２３への放電（給電）を禁止する機能を実装することが可能である。
【００５６】
また、この場合、スイッチ（ＦＥＴスイッチ）２２の内部ダイオードにより、バッテリチャージャー４１からバッテリ４２への充電は可能である。
【００５７】
図４（ｂ）は、図に示すように、スイッチ２２、システム２３、バッテリチャージャー４１、バッテリ４２が構成され、システム２３とバッテリ４２、バッテリチャージャー４１とバッテリ４２の間にスイッチ２２ａ、スイッチ２２ｂが設けられている。
【００５８】
ここで、スイッチ２２ａ、スイッチ２２ｂは、例えば、ＥＣ／無線デバイス２１により、それぞれのゲートがコントロールされる。
【００５９】
このようにスイッチ（ＦＥＴスイッチ）２２ａ、スイッチ（ＦＥＴスイッチ）２２ｂを２つ設けることで、バッテリ４２からシステム２３への放電（給電）を禁止する機能および、バッテリチャージャー４１からバッテリ４２への充電を禁止する機能を実装することが可能である。
【００６０】
図５は、実施形態に係わる電子機器（ＰＣ）に設定され、認証装置（ウェアラブルデバイス）が認証されない場合に、自機器の充電／放電を制御するモードが、電子機器（ＰＣ）の表示部に表示出力されるようすを示す図である。
【００６１】
図５に示すように、この実施形態においては、認証装置（ウェアラブルデバイス）１０３が認証されない場合に、自機器（電子機器（ＰＣ）１０１）の充電／放電を制御するモードが、例えば、電子機器（ＰＣ）１０１のＥＥＰＲＯＭ１１４に設定される。
【００６２】
そして、ここでは、例えば、電子機器（ＰＣ）１０１の表示部に、電子機器（ＰＣ）１０１）の充電／放電を制御するモードが、表示出力可能に構成されている。
【００６３】
この充電／放電を制御するモードは、ここでは、例えば、「モード１」５１は、「非認証時の電子機器設定」を、充放電禁止とするモードである。このとき、「第１スイッチ２２ａ」はＯＦＦ、「第２スイッチ２２ｂ」はＯＦＦと設定される。
【００６４】
また、「モード２」５２は、「非認証時の電子機器設定」を、充電許可／放電禁止とするモードである。このとき、「第１スイッチ２２ａ」はＯＮ、「第２スイッチ２２ｂ」はＯＦＦと設定される。
【００６５】
また、「モード３」５３は、「非認証時の電子機器設定」を、充電禁止／放電許可とするモードである。このとき、「第１スイッチ２２ａ」はＯＦＦ、「第２スイッチ２２ｂ」はＯＮと設定される。
【００６６】
また、「モード４」５４は、「非認証時の電子機器設定」を、充放電許可とするモードである。このとき、「第１スイッチ２２ａ」はＯＮ、「第２スイッチ２２ｂ」はＯＮと設定される。
【００６７】
また、上記「モード１」５１乃至「モード４」５４においては、一般に、「モード１」５１のセキュリティが１番高く、「モード２」５２のセキュリティが２番目に高い。
【００６８】
また、「モード２」５２のセキュリティが３番目に高く、「モード４」５４のセキュリティは４番目に高い。
【００６９】
図６は、実施形態に係わる電子機器（ＰＣ）の動作を説明するフローチャートである。
【００７０】
ステップＳ１００は、ここでの開始ステップである。続いて、ステップＳ１０１に進む。
【００７１】
ステップＳ１０１は、電子機器（ＰＣ）１０１は、認証装置（ウェアラブルデバイス）１０３が、認証可能範囲（例えば、所定の距離内等）にあるかを検出するステップである。続いて、ステップＳ１０２に進む。
【００７２】
ステップＳ１０２は、認証装置１０３は、予め設定された所定範囲内にあるかを検出するステップである。認証装置１０３が、予め設定された所定範囲内にあると検出される場合は、ステップＳ１０３に進む（Ｙｅｓ）。認証装置１０３が、予め設定された所定範囲内にはないと検出される場合は、ステップＳ１０５に進む（Ｎｏ）。
【００７３】
ステップＳ１０３は、認証装置１０３は、例えば、ＩＤ等により、認証されたかを検出するステップである。認証装置１０３が、認証されたと検出される場合は、ステップＳ１０４に進む（Ｙｅｓ）。認証装置１０３が、認証されたと検出されない場合は、ステップＳ１０５に進む（Ｎｏ）。
【００７４】
ステップＳ１０４は、電子機器（ＰＣ）１０３のシステム２３へ電源を供給するステップである。続いて、ステップＳ１０６に進む。
【００７５】
ステップＳ１０５は、電子機器（ＰＣ）１０３に予め設定されたモードに応じ、自機器（電子機器（ＰＣ）１０３）の充電／放電（給電）を制御するステップである。
【００７６】
ここでは、例えば、モード１は充放電禁止、モード２は充電許可／放電禁止、モード３は充電禁止／放電許可、モード４は充放電許可である。続いて、ステップＳ１０１に進み、上記処理を繰り返す。
【００７７】
ステップＳ１０６は、終了ステップであり、ここでの処理は終了する。
【００７８】
このように、この実施形態に係る電子機器においては、自機器の使用認証機能を備えた認証装置１０３から出力された認証情報を用い、前記認証装置１０３を認証する認証部（ＣＰＵ１０１等）を備えている。
【００７９】
また、前記認証装置１０３が認証されない場合に、自機器に予め設定されたモード（図５等）に応じ、自機器の充電または放電、または、充電および放電を制御する制御部（図３および図４に示す、ＥＣ／無線デバイス２１、ロードスイッチ２２、システム２３等）を備えている。
【００８０】
また、前記予め設定されたモードは、前記認証装置１０３が認証されない場合の自機器の動作モードを含む（図６）。
【００８１】
また、前記予め設定されたモードは、自機器への充電許可および放電禁止にする（図６）。
【００８２】
また、前記予め設定されたモードは、自機器への充電および放電の両方を禁止にする（図６）。
【００８３】
また、前記設定されたモードを動作させる第１スイッチ（スイッチ２２）を備える（図４ａ）。
【００８４】
また、前記設定されたモードを動作させる第１スイッチ（スイッチ２２ａ）および第２スイッチ（スイッチ２２ｂ）を備えている（図４ｂ）。
【００８５】
また、前記モード設定の情報を出力するモード設定情報出力部を備えている（図５）。
【００８６】
また、前記自機器に設定されたモードの情報を出力するモード情報出力部を備えている（図１）。
【００８７】
すなわち、この実施形態においては、上記のように、例えば、バッテリラインのＯＮ／ＯＦＦ制御を行うことで、例えば、電子機器（ＰＣ）１０３が盗難されてしまった後の、バッテリ充放電を禁止することが可能になる。これにより、より強い機器のセキュリティを実現することが可能になる。
【００８８】
また、上記実施形態に、パスワードとの２重ロック、パスワード省略でのロックなど、利用シーンやニーズに合わせ、セキュリティの設定を変更することも可能である。
【００８９】
また、認証装置（ウェアラブルデバイス）１０３が、電子機器（ＰＣ）１０３の近くにない(例えば、電子機器（ＰＣ）１０３の認証を可能なユーザが不在)場合においても、バッテリ４２への充電を許可することも可能である。これにより、セキュリティと利便性の両立が可能になる。
【００９０】
また、情報機器のユースケースに応じて、放電のみを禁止する／充電のみを禁止する／充電と放電（給電）の両方を禁止する（充放電禁止）等、使い分けが可能である。
【００９１】
また、例えば、電子機器（ＰＣ）１０３のＯＳが起動状態で、認証装置（ウェアラブルデバイス）１０３が遠ざかったときに、すぐにＥＣ／無線デバイス２１がバッテリ充放電ラインを切るようにするのではなく、システム２３をハイバネーション（メモリ内容をストレージに書き込み、その後電源ＯＦＦ）に移行してから、充放電禁止としても良い。
【００９２】
すなわち、この実施形態の電子機器（ＰＣ）１０３は、ユーザのユースケースに応じ、そのモード設定を調節することが可能である。
【００９３】
上記のように構成することによって、この実施形態においては、電子機器（ＰＣ等）の認証が可能なユーザ本人が不在の場合でも、電子機器（ＰＣ等）を使用できるようにし、かつ、セキュリティが高い、電子機器（ＰＣ等）を提供することが可能になる。
【００９４】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００９５】
なお、上記実施形態は、記述そのものに限定されるものではなく、実施段階では、その趣旨を逸脱しない範囲で、構成要素を種々変形して具体化することが可能である。
【００９６】
また、上記実施形態に開示されている複数の構成要素の適宜な組み合せにより種々の発明を形成できる。
【００９７】
例えば、実施形態に示される全構成要素から幾つかの構成要素を削除してもよい。更に、異なる実施形態に亘る構成要素を適宜組み合せてもよい。
【符号の説明】
【００９８】
１７…表示部、１０１…電子機器（ＰＣ）、１０３…認証装置、６１…非認証時の充放電制御設定の表示。
【図１】
2015011571.tif 000003
【図２】
2015011571.tif 000004
【図３】
2015011571.tif 000005
【図４】
2015011571.tif 000006
【図５】
2015011571.tif 000007
【図６】
2015011571.tif 000008